(57)【要約】【課題】個々のネットワーク機器の、実務運用するネットワークにおけるネットワーク設定を、当該実務運用ネットワークを介して遠隔地から行えるようにし、該ネットワーク機器の設置地への設定用諸装置の運搬や人的派遣を要せずに、該ネットワーク機器が利用できるように速やかに対応することができるようにする。【解決手段】ネットワーク設定されグローバルアドレスが設定されている構成管理装置及びルータ１間は、グローバルアドレスを用いるネットワーク通信により、ルータ１の先に接続されるルータ２のネットワーク設定を行なう。このネットワーク設定の際、ルータ１及びルータ２間は、グローバルアドレスが未設定であるゆえ、リンクローカルアドレスでネットワーク通信を行なう。ルータ２のネットワーク設定は、ネットワーク通信により、ネットワーク技術者を派遣することなく遠隔地から行なうことができる。【選択図】図１１
2010171884.tif 000002
【特許請求の範囲】
【請求項１】
ＩＰＶ６で規定されるプロトコルに対応可能なネットワーク機器を、実務運用するネットワーク上で利用できるようにネットワークに関する設定をするためのネットワーク機器設定方法において、
グローバルアドレス及びユニークローカルアドレスのいずれも未定のネットワーク機器に対しては、ＩＰＶ６で規定されるリンクローカルアドレスを用いて、前記実務運用ネットワークを介して構成管理装置側からアクセスし、グローバルアドレス及びユニークローカルアドレスの少なくとも一方の設定を含む、該ネットワーク機器の前記ネットワーク設定を行ない、
ルータであるネットワーク機器の前記ネットワーク設定を行なった後には、該ルータを経由して前記構成管理装置に接続される他のネットワーク機器の前記ネットワーク設定を、前記構成管理装置側から前記リンクローカルアドレスを適宜用いてアクセスし、設定するようにしたことを特徴とするネットワーク機器設定方法。
【請求項２】
請求項１に記載のネットワーク機器設定方法において、
前記構成管理装置には、予め定められたアルゴリズムに従って、前記実務運用ネットワークに接続されるネットワーク機器それぞれのネットワーク設定を自動的に順次行なう自動ネットワーク機器設定装置を備えたことを特徴とするネットワーク機器設定方法。
【請求項３】
請求項１又は請求項２に記載の構成管理装置の、いずれか１つを実施するためのコンピュータ・プログラム。
【発明の詳細な説明】
【技術分野】
【０００１】
本願発明は、ＩＰＶ６で規定されるプロトコルに対応可能なネットワーク機器を、実務運用するネットワーク上で利用できるようにネットワークに関する設定をするためのネットワーク機器設定方法に係り、特に、個々のネットワーク機器の、実務運用するネットワークにおけるネットワーク設定を、当該実務運用ネットワークを介して遠隔地から行えるようにし、該ネットワーク機器の設置地への設定用諸装置の運搬や、ネットワーク技術者などの人的派遣を要せずに、コストや手間を省きながら、該ネットワーク機器が利用できるように速やかに対応することができるネットワーク機器設定方法に関する。
【背景技術】
【０００２】
従来、レイヤ２網は、通信事業者が提供する広域イーサネット（登録商標）などを中心として提供される。あるいは、レイヤ３網は、通信事業者が提供するＩＰ−ＶＰＮなどを中心として提供される。通常、レイヤ２網でも、レイヤ３網でも、ルータやスイッチその他のネットワーク機器のユーザが自らこれらネットワーク機器の設定を行っている。
【０００３】
なお、ルータ、スイッチ、ハブ、ゲートウェイその他、２つのネットワークを接続する機能を備えたネットワーク機器を総称して、以下、単にルータと呼ぶ。又、ネットワーク機器を、実務運用するネットワーク上で利用できるように行なう、ネットワークに関する設定を、以下ネットワーク設定と呼ぶ。
【０００４】
ここで、ネットワーク機器に対して、他のネットワーク機器からアクセスする場合、アクセス先のネットワーク機器のアドレスを、アクセス元のネットワーク機器から指定する必要があり、ＩＰＶ４（Internet  Protocol  Version  ４）やＩＰＶ６（Internet  Protocol  Version  ６）で規定される、このための種々のＩＰアドレスが用いられる。まず、グローバルアドレスは、世界で一意のＩＰアドレスである。又、特定の範囲内のネットワークで一意のＩＰアドレスは、リンクローカルアドレスやユニークローカルアドレスなどと呼ばれている。
【０００５】
特許文献１では、このような近隣ネットワーク機器のＩＰアドレスを取得するための技術が開示されている。この特許文献１は、ＩＰＶ６で規定されているリンクマルチキャストアドレスを用いて、近隣キャッシュから、取得しようとするネットワーク機器のアドレス情報を得てそのグローバルアドレス候補を作成し、これによって、該ネットワーク機器のグローバルアドレスを得るようにしている。
【先行技術文献】
【特許文献】
【０００６】
【特許文献１】特開２００８−９８７６０号公報
【発明の概要】
【発明が解決しようとする課題】
【０００７】
しかしながら、ネットワーク機器を、実務運用するネットワーク上で利用できるようにするためには、事前に、個別にネットワーク設定しておく必要がある。あるいは、設置する現地に、ネットワーク技術者が出向いてネットワーク設定を行う必要がある。又、現地での運用後にも、ネットワーク設定を変更する場合には、同様に、ネットワーク技術者が現地に出向いて対応する必要がある。
【０００８】
なお、前述の特許文献１は、単にネットワーク機器のグローバルアドレスを得るものであり、ネットワーク機器を個々にネットワーク設定するためのものではない。
【０００９】
本発明は、前記従来の問題点を解決するべくなされたもので、個々のネットワーク機器の、実務運用するネットワークにおけるネットワーク設定を、当該実務運用ネットワークを介して遠隔地から行えるようにし、該ネットワーク機器の設置地への設定用諸装置の運搬や、ネットワーク技術者などの人的派遣を要せずに、コストや手間を省きながら、該ネットワーク機器が利用できるように速やかに対応することができるネットワーク機器設定方法を提供することを課題とする。
【課題を解決するための手段】
【００１０】
本発明は、ＩＰＶ６で規定されるプロトコルに対応可能なネットワーク機器を、実務運用するネットワーク上で利用できるようにネットワークに関する設定をするためのネットワーク機器設定方法において、グローバルアドレス及びユニークローカルアドレスのいずれも未定のネットワーク機器に対しては、ＩＰＶ６で規定されるリンクローカルアドレスを用いて、前記実務運用ネットワークを介して構成管理装置側からアクセスし、グローバルアドレス及びユニークローカルアドレスの少なくとも一方の設定を含む、該ネットワーク機器の前記ネットワーク設定を行ない、ルータであるネットワーク機器の前記ネットワーク設定を行なった後には、該ルータを経由して前記構成管理装置に接続される他のネットワーク機器の前記ネットワーク設定を、前記構成管理装置側から前記リンクローカルアドレスを適宜用いてアクセスし、設定するようにしたことにより、前記課題を解決したものである。
【００１１】
又、前記構成管理装置には、予め定められたアルゴリズムに従って、前記実務運用ネットワークに接続されるネットワーク機器それぞれのネットワーク設定を自動的に順次行なう自動ネットワーク機器設定装置を備えることができる。
【００１２】
更に、前記構成管理装置は、コンピュータ・プログラムによって実現することも可能である。
【発明の効果】
【００１３】
本願発明によれば、構成管理装置側からネットワークを辿って、対象になるネットワーク機器に対してネットワーク設定を行うことができる。又、このネットワークを辿る過程で、ネットワーク設定が未完、あるいはＩＰアドレスが未知のルータがあっても、適宜該設定を行い、又ＩＰアドレスを取得してアクセスすることができるので、対象になるネットワーク機器に辿り着いて、そのネットワーク設定を行うことができる。従って、ネットワーク設定されていないネットワーク機器を現地に搬入して据え付け及び接続をする際、又既に稼働しているネットワーク機器のネットワーク設定を変更する際にも、遠隔地の構成管理装置から、ネットワーク設定を行うことができ、現地で、ネットワーク技術者が出向いてネットワーク設定を行うといった必要がない。このため、ネットワーク設定に係る手間やコストを削減できるだけでなく、迅速なネットワーク設定を行うことができる。
【図面の簡単な説明】
【００１４】
【図１】本発明が適用された実施形態のネットワーク全体の構成を模式的に示すブロック図
【図２】前記実施形態の各装置に用いるハードウェアの構成を示すブロック図
【図３】広域イーサネット（登録商標）などを中心として提供されるレイヤ２網において適用した、前記実施形態のネットワーク全体の構成を模式的に示すブロック図
【図４】ＩＰ−ＶＰＮなどを中心として提供されるレイヤ３網において適用した、前記実施形態のネットワーク全体の構成を模式的に示すブロック図
【図５】前記実施形態の構成管理装置からネットワーク設定が順次設定されるルータを模式的に示したブロック図
【図６】前記実施形態に用いるＩＰＶ６におけるグローバルアドレスのデータ構成図
【図７】上記グローバルアドレスに含まれるインターフェースＩＤのデータ構成図
【図８】前記実施形態において用いるＩＰＶ６におけるＩＰアドレスの種類及びその構成を示す線図
【図９】前記実施形態における構成管理装置、２つのルータ１及びルータ２、及びコンピュータ機器の関係を示すブロック図
【図１０】前記実施形態において、ルータ１に対するネットワーク設定の一例を示すブロック図
【図１１】前記実施形態において、ルータ２に対するネットワーク設定の一例を示すブロック図
【図１２】前実施形態における設定情報例を示す線図
【図１３】上記図１２に続く設定情報例を示す線図
【発明を実施するための形態】
【００１５】
以下、図を用いて本発明の実施の形態を詳細に説明する。
【００１６】
図１は、本発明が適用された実施形態のネットワーク全体の構成を模式的に示すブロック図である。
【００１７】
本実施形態は、後述するように、広域イーサネット（登録商標）などを中心として提供されるレイヤ２網にも（図３）、又、ＩＰ−ＶＰＮなどを中心として提供されるレイヤ３網にも（図４）適用可能である。いずれの場合にも、この図１に示すように、個々のネットワーク１は階層構造の関係としても捉えることができる。
【００１８】
この図１において、ネットワーク１は、適宜ルータ３を経由し、いずれも少なくともＩＰＶ４あるいはＩＰＶ６により、コンピュータ機器５や構成管理装置７を相互に接続するものである。ルータ３やコンピュータ機器５のあるものは、ＩＰＶ６にも対応し、本発明を適用するネットワーク設定の対象となる。
【００１９】
ここで、コンピュータ機器５Ａのネットワーク設定は、図中の一点鎖線矢印で示す経路によって、構成管理装置７から、本発明を適用してネットワーク通信により行なうことが可能になっている。又、コンピュータ機器５Ｂのネットワーク設定は、二点鎖線矢印で示す経路によって、本発明を適用して行なうことが可能になっている。この際、少なくともこれら経路にあるルータ３又コンピュータ機器５Ａやコンピュータ機器５Ｂは、ＩＰＶ６に対応している必要がある。
【００２０】
図２は、本実施形態の各装置に用いるハードウェアの構成を示すブロック図である。
【００２１】
この図２においては、ルータ３、コンピュータ機器５、構成管理装置７の各装置として利用可能な、ある種のコンピュータ装置のハードウェア構成が示される。しかしながら、各装置は、このようなものに限定されるものではない。
【００２２】
図２の該コンピュータ装置は、ＯＳ（Operating  System）は一例として米国マイクロソフト社のＷｉｎｄｏｗｓ（登録商標）を搭載する、一般的なＰＣ（Personal  Computer）装置であってもよく、特に限定されものではない。あるいは、ＰＣ装置以外のハードウェアを用いてもよく、例えばＥＷＳ（Engineering  Work  Station）などの、いわゆるワークステーションなどのハードウェアを用いるようにしてもよい。なお、この図において、ハードウェア構成は、説明の関係上一部抽象化されている。
【００２３】
この図において、コンピュータ装置は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、ＭＯＤＥＭ（modulator-demodulator）３１４と、種々のＩ／Ｆ３２０〜３２２とを有している。これらは、バス３０１によって相互接続されている。
【００２４】
なお、ＬＡＮ−Ｉ／Ｆ３１３は、ネットワーク１に対して接続するために用いられる。この図のコンピュータ装置が、ルータとして用いられる場合は、該ＬＡＮ−Ｉ／Ｆ３１３は、少なくとも２つの異なるネットワーク１に対して同時に接続が可能となっている。又、該ＬＡＮ−Ｉ／Ｆ３１３は、後述するＮＩＣ（図１０、図１１）に相当する。
【００２５】
又、バス３０１に対して、Ｉ／Ｆ３２０を介して、画面表示装置３３０が接続されている。又、バス３０３によって相互接続されている、キーボード３３１と、マウス３３２と、プリンタ装置３３３とは、バス３０１に対して、Ｉ／Ｆ３２１を介して接続されている。
【００２６】
更に、バス３０１に対して、Ｉ／Ｆ３２２を介して、ＨＤＤ（Hard  Disc  Drive）装置３４０と、ＣＤ（Compact  Disc）ドライブ装置３４１と、ＦＤＤ（Floppy（登録商標）  Disc  Drive）装置３４２とが接続されている。これらはバス３０２によって相互接続されている。
【００２７】
以上のようなハードウェア構成において、記憶手段、又記憶装置は、ＲＡＭ３１１、ＲＯＭ３１２、ＨＤＤ装置３４０、ＣＤドライブ装置３４１、ＦＤＤ装置３４２などである。このような記憶手段や記憶装置において、ＣＰＵ３１０で実行される様々なプログラムや、本実施形態においてアクセスされるデータベースや諸ファイルやデータが保存され、電子的にアクセスができるようになっている。例えば、ＯＳや、データベースやＪＡＶＡ（登録商標)やＪＳＰ（Java（登録商標）  Server  Page）などのソフトウェア資源を利用する環境を提供するためのプログラム、本実施形態に係るアプリケーション・プログラム、又ウェブ・ブラウザ・プログラムは、ＨＤＤ装置３４０に格納されていて、実行時には、ＲＡＭ３１１に読み出されてＣＰＵ３１０によって実行される。なお、ＬＡＮ−Ｉ／Ｆ３１３は、ネットワーク１に対する接続などに用いられるものであり、ＣＰＵ３１０で実行されるアプリケーション・プログラムには、クライアント装置などにおいて、ネットワーク１経由で取得される、ＪＡＶＡ（登録商標）のアプレットや、電子文書サーバ装置１０におけるＡＳＰ（Active  Server  Page）の機能によって提供されるものも含まれる。
【００２８】
又、ＯＳやアプリケーション・プログラムその他の実行に際して、オペレータは、画面表示装置３３０に表示出力される情報を参照しつつ、キーボード３３１によって文字入力や諸操作を行ったり、マウス３３２によって座標入力や諸操作の入力を行ったりする。例えば、マウス３３２によって、一覧表示される電子文書の選択をしたり、閲覧中の電子文書において、検索などの範囲指定を行ったり、その他、クリック操作や、いわゆるドラッグ・アンド・ドロップ操作により様々な操作を行ったりする。又、適宜、プリンタ装置３３３からは必要な情報を印字出力したりすることができる。言うまでもなく、これら諸出力や入力は、ＣＰＵ３１０で実行されるプログラムによって、電子的な処理によって行われるものである。
【００２９】
なお、ＣＤドライブ装置３４１やＦＤＤ装置３４２は、本願発明を適用して実施する際の、アプリケーション・プログラムのインストールや、その他のオフラインでの情報交換に用いられる。
【００３０】
次に、図３は、広域イーサネット（登録商標）などを中心として提供されるレイヤ２網１２において適用した、又、図４は、ＩＰ−ＶＰＮなどを中心として提供されるレイヤ３網１４において適用した、本実施形態のネットワーク全体の構成を模式的に示すブロック図である。図５は、本実施形態の構成管理装置７からネットワーク設定が順次設定されるルータ３を模式的に示したブロック図である。
【００３１】
まず、ルータ３は、特定のネットワーク１を、上位のネットワーク１に接続するものであり、図３及び図４に示すように、このような２つのネットワーク１を相互接続するものである。ここで、本発明の構成管理装置７は、図３ではルータ３Ａに、図４ではルータ３Ｂに接続されている。該構成管理装置７は、ネットワーク設定を行なうネットワーク技術者が待機するネットワーク・センタに配置されている。
【００３２】
又、構成管理装置７は、より近いルータ３とのアクセスを確保するように、ネットワーク設定の設定やＩＰアドレスの取得を行なっていく。ネットワーク設定されたルータ３に対しては、グローバルアドレスを用いたアクセスを行ないながら、これより先のルータ３やネットワーク機器に対しては、未だグローバルアドレスを用いたアクセスができないので、リンクローカルアドレスを用いたアクセスにより、ネットワーク設定を行なっていく。例えば、図５のネットワーク構成では、ルータ３Ｃ、ルータ３Ｄ、ルータ３Ｅ、ルータ３Ｆの順に、構成管理装置７に近い方から、本発明を適用し、ネットワーク設定の設定やＩＰアドレスの取得を行なっていく。
【００３３】
ここで、図６は、本実施形態に用いるＩＰＶ６におけるグローバルアドレスのデータ構成図である。図７は、該グローバルアドレスに含まれるインターフェースＩＤのデータ構成図である。
【００３４】
この図に示されるように、ＩＰＶ６で規定されるＩＰアドレスは、１２８ビットで構成される。
【００３５】
又、この図において、ＭＳＢ（Most  Significant  Bit）側からＬＳＢ（Least  Significant  Bit）側に順に説明すると、１３ビットのＴＬＡ（Top-Level Aggregation）ＩＤは、ｓＴＬＡにおいて実績を残した大手ＩＳＰに割り振られるＩＤコードである。１３ビットのｓＴＬＡ（Sub  Top-Level Aggregation）ＩＤは、特定の資格基準を満たした大手ＩＳＰなどに割り振られるＩＤコードである。
【００３６】
最長１３ビットのＮＬＡ（Next-Level Aggregation）ＩＤは、一般ＩＳＰに割り振られるＩＤコードである。最長１３ビットのＳＬＡ（Site−Level  Aggregation）ＩＤは、一般エンドユーザに割り振られるＩＤコードである。これらＮＬＡ  ＩＤ及びＳＬＡ  ＩＤを共に備える場合、ＮＬＡ  ＩＤがＭＳＢ側になる。
【００３７】
次に、１６ビットのサイト内ネットワークＩＤは、一般エンドユーザが、例えば自設のネットワーク１毎に割り当てる。続く６４ビットのインターフェースＩＤは、一般エンドユーザが、このようなネットワーク１下に接続される個々のネットワーク機器に対して割り当てる。
【００３８】
ここで、通常、上記のインターフェースＩＤは、図７に示されるように、ＭＡＣアドレス（Media  Access  Control  address）に従って自動生成する。このＭＡＣアドレスは、製造及び出荷時までに、個々のネットワーク機器に対して定められ書き込まれる。
【００３９】
図７に示されるように、４８ビットのＭＡＣアドレスにおいて、ＭＳＢから７ビット目は反転され、且つ、２４ビット目及び２５ビット目の間には、１６進数で「ＦＦＦＥ」の１６ビットが挿入されて、都合６４ビット（＝４８＋１６）のインターフェースＩＤが編成される。
【００４０】
通常、以上に説明したグローバルアドレスは、ネットワーク機器に対して、世界で一意的に割り当てられ、ネットワーク設定としてその内部に設定される。しかしながら、ネットワーク機器が現地に設置された当初には、このグローバルアドレスの設定を含め、ネットワーク設定がなされていない場合がある。このような場合には、グローバルアドレスを用いた、他のネットワーク機器からのアクセスができない。
【００４１】
このような場合、本実施形態では、以下に説明するリンクローカルアドレス、及びユニークローカルアドレスを用いてアクセスし、該当のネットワーク機器のネットワーク設定を行なうようにしている。
【００４２】
図８は、本実施形態において用いるＩＰＶ６におけるＩＰアドレスの種類及びその構成を示す線図である。
【００４３】
ここで、ＩＰＶ６では、前述のグローバルアドレスに加えて、図８に示すように、リンクローカルアドレス、及びユニークローカルアドレスが規定されている。
【００４４】
これらリンクローカルアドレスは、ユニークローカルアドレスやグローバルアドレスが未定乃至は未知でも、ＩＰＶ６に従って、物理的に単一のネットワーク１内の他のネットワーク機器、例えば構成管理装置７から、比較的容易に取得することができ、取得したアドレスを用いてアクセスすることができる。本実施形態では、このような、リンクローカルアドレスを用いたアクセスによって、構成管理装置７からネットワーク機器のネットワーク設定を行なうようにしている。
【００４５】
リンクローカルアドレスは、単一リンク内のアクセスに用いるアドレスであり、単一リンク内の個々のネットワーク機器には、“ｆｅ８０：：／１０”〜“ｆｅｂｆ：：／１０”のいずれかが割り当てられる。ユニークローカルアドレスは、単一サイト内のアクセスに用いるアドレスであり、単一サイト内の個々のネットワーク機器には、“ｆｃ００：：／７”のいずれかが割り当てられる。
【００４６】
ここで、本実施形態において、ＩＰＶ６対応のネットワーク機器は、リンクローカルアドレスを標準で付与されており、隣接機器間では、このＩＰアドレスを使用して通信を行うことが可能である。又、本発明では、このリンクローカルアドレスを使用して、機器設定を行うことにより、管理センタに配置される構成管理装置に設定情報を登録しておけば、実務運用するネットワーク経由で、自動的にネットワーク設定を行うことができる。これにより、ネットワーク設計者がこの設定情報の登録をすれば、ネットワーク技術者が個々の設定作業や現地作業を行わずにすみ、現地では、据付設置のみを作業者がいればよいことになる。
【００４７】
図９は、本実施形態における構成管理装置、２つのルータ１及びルータ２、及びコンピュータ機器の関係を示すブロック図である。図１０及び図１１は、本実施形態において、それぞれ、ルータ１に対する、あるいはルータ２に対するネットワーク設定の一例を示すブロック図である。
【００４８】
まず、ルータ３は、ネットワーク１に対して、ＮＩＣ（Network  Interface  Card）（図２のＬＡＮ−Ｉ／Ｆ３１３に相当）により接続される。なお、図９ではＮＩＣの図示が省略されている。
【００４９】
まず図９において、構成管理装置には、２つのエージェント０及びエージェント３、構成管理装置７の処理の中核となる構成管理システム、更に、該構成管理システムに用いられる構成管理ＤＢを備える。ルータ１は、４つのエージェント０、１、４、及び５を備える。ルータ２は、エージェント１を備える。
【００５０】
本実施形態において、まず上記の構成管理システムは、事前にルータの設定情報を格納した構成管理ＤＢから、該当のルータの設定情報を選択して、設定情報（設定ファイル）を該当ルータに送信する。これにより、そのルータのネットワーク設定が行なわれる。又、構成管理システムは、構成管理ＤＢを用いて、リンクローカルアドレスをキーとして、ネットワークに直接、間接に接続されている機器を管理する。更に、リンクローカルアドレスをキーにして、構成管理ＤＢより該当するルータの設定情報を選択することもできる。
【００５１】
次に、エージェント０は、隣接ルータのリンクローカルアドレスを探索し、検出したルータを構成管理システムに通知する。又、構成管理システムの指示により、リンクローカルアドレスを用いて、ルータ１のエージェント１と通信を行う。
【００５２】
エージェント１は、エージェント０を介して、構成管理システムより、機器の設定情報を受信し、エージェント４に対してこれに基づいた設定を行う様に指示を行う。これにより、構成管理システムは、グローバルアドレスあるいはユニークローカルアドレスを用いて、ルータ１と通信を行うことができるようになる。
【００５３】
エージェント５は、構成管理システムの指示により、エージェント０を用いて、隣接ルータ２のリンクローカルアドレスを探索し、検知した結果を構成管理システムに通報する。又、構成管理システムより、受信したルータ２の設定情報をエージェント０に引渡しルータ２に送信する。
【００５４】
続いて、図１０に基づいて、ルータ１におけるＮＩＣ１０及びＮＩＣ１１の、グローバルアドレスあるいはユニークローカルアドレスの設定を例とし、ネットワーク設定について説明する。
【００５５】
まず、図中のルータ１のネットワーク設定を行なっていない状態で、ＮＩＣ１０及びＮＩＣ１１のネットワーク設定を行なっていない状態では、構成管理装置７及びルータ１間は、リンクローカルアドレスでネットワーク通信することになる。
【００５６】
エージェント０は、リンクローカルアドレスで接続されている隣接ルータ１と通信し、そのインターフェースＩＤを取得する。又、隣接ルータが事前に登録されたリンクローカルインターフェースＩＤと照合し、ルータ１と確認する。更に、構成管理システムは、該リンクローカルインターフェースＩＤをキーとして構成管理ＤＢより該当する設定情報を取得し、エージェント０及びエージェント１に渡す。これらエージェント０及びエージェント１は、取得した設定情報によりルータ１に対してネットワークを経由して設定指示する。該設定指示は、リンクローカルアドレスを用いたネットワーク通信による。
【００５７】
該設定指示を受けると、エージェント１は、構成管理システムより受信したルータ１の設定情報をエージェント４に引き渡す。すると、エージェント４は、受け取った設定情報構に基づいて、ＮＩＣ１０及びＮＩＣ１１のネットワーク設定を行なう。一例として、本実施形態では、ＮＩＣ１０及びＮＩＣ１１のグローバルアドレス、あるいはユニークローカルアドレスを設定する。
【００５８】
続いて、図１１に基づいて、ルータ１におけるＮＩＣ１０及びＮＩＣ１１の、グローバルアドレスあるいはユニークローカルアドレスの設定を例とし、ネットワーク設定について説明する。
【００５９】
まず、図中のルータ１のネットワーク設定は行なわれており、ルータ１及び構成管理装置間はグローバルアドレスによるネットワーク通信が可能であるとする。又、図中のルータ２のネットワーク設定は行なわれていない状態で、ルータ２及びルータ１間はグローバルアドレスによるネットワーク通信ができないものの、リンクローカルアドレスでネットワーク通信が可能であるとする。
【００６０】
このような条件で、エージェント３は、ルータ１のエージェント５とグローバルアドレスアドレスを用いてネットワーク通信を行い、隣接ルータ２の検出を指示する。すると、エージェント５は、構成管理装置からの該検出指示に従い、エージェント０に隣接ルータ２の検出を指示する。
【００６１】
エージェント０は、検出したルータ２のリンクローカルアドレスのインターフェースＩＤを、エージェント５を介して構成管理装置に通知する。該通知を受信したエージェント３は、事前に構成管理ＤＢに登録されたリンクローカルインターフェースフェースＩＤと照合し、該ＩＤをルータ２のものと確認すると共に、構成管理ＤＢより該当する設定情報を取得する。続いて、エージェント３は、該設定情報をルータ１のエージェント５に送信する。
【００６２】
ルータ１のエージェント５は、構成管理装置より受信した該設定情報をエージェント０に渡し、送信を指示する。すると、該エージェント０は、リンクローカルアドレスを用いたネットワーク通信により、該設定情報をルータ２のエージェント１へ送信する。
【００６３】
ルータ２のエージェント１は、構成管理システムよりルータ１を経由して受信したルータ２の設定情報を、エージェント４に引き渡す。エージェント４は、受け取った設定情報構により、ルータ２のＮＩＣを設定する。一例として、本実施形態では、ルータ２のＮＩＣのグローバルアドレス、あるいはユニークローカルアドレスを設定する。
【００６４】
次に、図１２及び図１３は、本実施形態における設定情報例を示す線図である。
【００６５】
これらの図において、図１３は、図１２に続くものである。本実施形態においては、構成管理装置７側より、ＩＰＶ６に従った、例えばこれらの図に示すような指示をネットワーク通信によってルータ側に送信しつつ、ルータ側のネットワーク設定を行なう。この送信される内容は、構成管理ＤＢに格納された情報を用いるなどして、自動的に行なうようにしてもよい。
【符号の説明】
【００６６】
１…ネットワーク
３…ルータ
５…コンピュータ機器
７…構成管理装置
１２…レイヤ２網
１４…レイヤ３網
３０１〜３０３…バス
３１０…ＣＰＵ
３１１…ＲＡＭ
３１２…ＲＯＭ
３１３…ＬＡＮ−Ｉ／Ｆ
３１４…ＭＯＤＥＭ
３２０〜３２２…Ｉ／Ｆ
３３０…画面表示装置
３３１…キーボード
３３２…マウス
３３３…プリンタ装置
３４０…ＨＤＤ装置
３４１…ＣＤドライブ装置
３４２…ＦＤＤ装置
【図１】
2010171884.tif 000003
【図２】
2010171884.tif 000004
【図３】
2010171884.tif 000005
【図４】
2010171884.tif 000006
【図５】
2010171884.tif 000007
【図６】
2010171884.tif 000008
【図７】
2010171884.tif 000009
【図８】
2010171884.tif 000010
【図９】
2010171884.tif 000011
【図１０】
2010171884.tif 000012
【図１１】
2010171884.tif 000013
【図１２】
2010171884.tif 000014
【図１３】
2010171884.tif 000015